(57)【要約】      （修正有）【課題】取出口形成用の切取部を片手操作で簡単かつ安全に切り離しが可能な構造を有する衛生用紙収納紙箱を提供する。【解決手段】衛生用紙収納箱の上面板中央部に、長手方向に延在し、切取線によって囲まれた衛生用紙取出口形成用の切取部を有し、切取部は、衛生用紙収納箱の長手方向両端部に折目線を有する摘み部と両摘み部間に位置する帯部を有し、更に、切取部の長手方向端縁中央に凹部を有する切取線を挟んで衛生用紙収納箱面に形成されている切取線切り離し用押し下げ部と相対しており、摘み部と押し下げ部を分ける切取線は、短線の接合部と長線の切目部からなる一点鎖線状の切取線として形成されており、切取線切り離し用押し下げ部は、衛生用紙収納箱の長手方向両端部側に湾曲して設けられている押罫部と、摘み部と該押し下げ部を分ける切取線とによって囲まれている衛生用紙収納箱。【選択図】図２
2007269372.tif 000002
【特許請求の範囲】
【請求項１】
衛生用紙が収納されている略直方体の衛生用紙収納箱の少なくとも一面の中央部に長手方向に延在し、切取線によって囲まれた衛生用紙取出口形成用の切取部を有し、
該切取部は、衛生用紙収納箱の長手方向両端部に折目線を有する摘み部と両摘み部間に位置する帯部を有し、
前記摘み部は、前記切取部の長手方向端縁中央に凹部を有する切取線を挟んで衛生用紙収納箱面に形成されている切取線切り離し用押し下げ部と相対しており、前記摘み部と前記押し下げ部を分ける切取線は、短線の接合部と長線の切目部からなる一点鎖線状の切取線として形成されており、
前記切取線切り離し用押し下げ部は、衛生用紙収納箱の長手方向両端部側に湾曲して設けられている押罫部と、前記摘み部と該押し下げ部とを分ける切取線とによって囲まれていることを特徴とする特徴とする衛生用紙収納箱。
【請求項２】
前記摘み部における前記凹部は、コ字型切取線及び波型切取線のいずれかの形状の切取線によって形成されていることを特徴とする請求項１記載の衛生用紙収納箱。
【請求項３】
前記摘み部の中央窪み部の一点鎖線状の切取線は、該窪み部の底縁中央部と該底縁を挟む両側縁部の対称位置とに短線の接合部を有する一点鎖線状の切取線であることを特徴とする請求項１又は２に記載の衛生用紙収納箱。
【請求項４】
前記摘み部の折目線は、取出口を形成している衛生用紙収納箱の面の表面側又は裏面側から該面の厚さ方向中間層までの深さの切込線として設けられていることを特徴とする請求項１〜３のいずれか１項に記載の衛生用紙収納箱。
【請求項５】
前記切取部の帯部は、その幅が長手方向中央部から両端部方向に向けて拡幅するように湾曲している形状であることを特徴とする請求項１〜４のいずれか１項に記載の衛生用紙製収納箱。
【請求項６】
前記切取部の前記帯部の両側縁と衛生用紙収納箱の長手方向両側縁間に、該帯部の側縁と相対して衛生用紙収納箱の長手方向両側縁方向に中央部が膨らむ弓形押罫部が形成されていることを特徴とする請求項１〜５のいずれか１項に記載の衛生用紙収納箱。
【請求項７】
前記切取線切り離し用押し下げ部を形成している、衛生用紙収納箱の長手方向両端部側に湾曲する押罫部の端部と前記切取部の帯部と相対して形成されている弓形押罫部の端部との間の前記摘み部の各側縁近傍に、摘み部方向に開口部を向けるＶ字形の押罫部が形成されていることを特徴とする請求項６に記載の衛生用紙収納箱。
【請求項８】
前記帯部と相対して形成されている弓形押罫部の両端部はＴ型端部であることを特徴とする請求項６又は７に記載の衛生用紙収納箱。
【請求項９】
前記衛生用収納箱は、該収納箱を形成している紙素材の抄紙方向に対してその長手方向が直交する方向となるように形成されていることを特徴とする請求項１〜８のいずれか１項に記載の衛生用紙収納箱。
【発明の詳細な説明】
【技術分野】
【０００１】
本発明は、ティシュペーパー等の衛生用紙を収納した紙製箱体に関するものである。より詳細には、本発明は、紙製収納箱の少なくとも一面に、衛生用紙取出口を形成する切目線で囲まれた切取部を有する衛生用紙収納箱に関する。
【背景技術】
【０００２】
家庭やオフィス等で広く使われている収納箱入り衛生用紙としては、ティシュペーパー、ちり紙、ペーパータオル、トイレットペーパーなどが挙げられる。これらの衛生用紙を収納した製品は、収納箱の上面に、衛生用紙を取り出すための取出口を形成する帯状の切取部を有しており、使用者は、該切取部を上面板から切り離して取出口を形成して使用している。
【０００３】
上記のような収納箱内に収納されている衛生用紙は、一般的には、２枚重ねの状態を一組として隣接する２枚重ねの衛生用紙と交互に折り重ねられ、１５０組程度を一束として箱内に収納されており、使用者が取出口を覆っているフィルムのスリット部から２枚一組の衛生用紙を引き出すと、引出された衛生用紙の後半部分と折り重ねられている後続する２枚一組の衛生用紙の前半部分が収納箱内部から引き出されてくる。
収納箱の内面に貼着されているフィルムは、引出された衛生用紙の前半部分をフィルムのスリット間に挟持して該スリットとの摩擦により衛生用紙が収納箱内に落ち込むことを防いでいるとともに、外部の塵や異物が収納箱内に入り込むのを防止する役割も果たしている。
【０００４】
上記のような取出口にプラスチックフィルムを貼着したタイプの衛生用紙収納箱に代わって、近年、取出口内面にプラスチックフィルムを配置していない、フィルムレスタイプの衛生用紙収納箱も提案されている(特許文献１、特許文献２、特許文献３)。
このようなフィルムレスタイプの取出口を有する収納箱の場合、フィルムに形成したスリットと同様に、ポップアップされて取出口から外部に引出されている衛生用紙部分を挟持して該部分が収納箱内部に落ち込む（逆戻りする）ことを防止するための工夫が求められるが、その対策として、収納箱の取出口の形状を、中央部側から両端部方向に取出口が狭まる菱形状とすることにより、該両端部の菱形の箇所で衛生用紙の幅方向両端部を保持できる形状としたものが提案されている（特許文献４)。また、取出口の両端部にスリットを形成した収納箱も提案されている（特許文献５）。
【０００５】
上記のような衛生用紙収納箱には、箱体の上面板に切取線で囲まれた長手方向に延在する切取部が形成されており、該切取部の形状構造には種々の工夫がなされてきている。
本発明者は、フィルムレスタイプの衛生用紙入り収納箱として、取出口中央部の最小幅となる括れ部長手方向両端部に切取の際の摘み部を形成した取出口形成用切取部を有する衛生用紙入り収納箱を提案している（特許文献６）。
【特許文献１】実開昭５７−１６７０８０号公報
【特許文献２】特開平９−１５０８７１号公報
【特許文献３】実開平４−８０８７８号公報
【特許文献４】実開平６−７２８８３号公報
【特許文献５】特開平９−３０５７３号公報
【特許文献６】特開２００５−２２５５６２号公報
【発明の開示】
【発明が解決しようとする課題】
【０００６】
衛生用紙入り収納箱の衛生用紙取出口は、衛生用紙収納箱の上面に形成されている切取線によって囲まれた切取部を上面板から切り離して形成されることが多いが、その切り離し操作は、一般的には、切り離し用の摘み部を形成するために切取部の任意箇所の切取線近傍を箱内に押し下げて切取線に切れ目を形成し、該切れ目から指を箱内に挿入して切取部を持ち上げ、該持ち上げ箇所を摘んで切取線に沿って切り離し部を拡大して切取部全体を切り離すという操作である。
【０００７】
しかし、切り離し用の摘み部を最初に作るために一部を切り離した切取線部から箱内に指を差し込んで切取線を拡大する際に、切り離された端縁で指を怪我する可能性があるので、本発明者は切取部に切り離し端部となる摘み部を簡単に形成することができる構造の切取部を有する衛生用紙収納箱も提案している（特許文献６）。
本発明は、上記のような切り離し時の摘み部となる切り離し端部の構造として、危険がなく、しかも片手操作で簡単に切取部の切り離しが可能な摘み部の構造を有する切取部を形成した衛生用紙収納箱を提供することを目的とするものである。
【課題を解決するための手段】
【０００８】
上記の課題を解決するための本発明は、以下の各発明を包含する。
（１）衛生用紙収納箱の上面板中央部に、
衛生用紙が収納されている略直方体の衛生用紙収納箱の少なくとも一面の中央部に長手方向に延在し、切取線によって囲まれた衛生用紙取出口形成用の切取部を有し、
該切取部は、衛生用紙収納箱の長手方向両端部に折目線を有する摘み部と両摘み部間に位置する帯部を有し、
前記摘み部は、前記切取部の長手方向端縁中央に凹部を有する切取線を挟んで衛生用紙収納箱面に形成されている切取線切り離し用押し下げ部と相対しており、前記摘み部と前記押し下げ部を分ける切取線は、短線の接合部と長線の切目部からなる一点鎖線状の切取線として形成されており、
前記切取線切り離し用押し下げ部は、衛生用紙収納箱の長手方向両端部側に湾曲して設けられている押罫部と、前記摘み部と該押し下げ部を分ける切取線とによって囲まれていることを特徴とする特徴とする衛生用紙収納箱。
【０００９】
（２）前記摘み部における前記凹部は、コ字型切取線及び波型切取線のいずれかの形状の切取線によって形成されていることを特徴とする（１）項記載の衛生用紙収納箱。
【００１０】
（３）前記摘み部の中央凹部の一点鎖線状の切取線は、該凹部の底縁中央部と該底縁を挟む両側縁部の対称位置とに短線の接合部を有する一点鎖線状の切取線であることを特徴とする（１）項又は（２）項に記載の衛生用紙収納箱。
【００１１】
（４）前記摘み部の折目線は、取出口を形成している衛生用紙収納箱の面の表面側又は裏面側から該面の厚さ方向中間層までの深さの切込線として設けられていることを特徴とする（１）項〜（３）項のいずれか１項に記載の衛生用紙収納箱。
【００１２】
（５）前記切取部の帯部は、その幅が長手方向中央部から両端部方向に向けて拡幅するように湾曲している形状であることを特徴とする（１）項〜（４）項のいずれか１項に記載の衛生用紙収納箱。
【００１３】
（６）前記切取部の前記帯部の両側縁と衛生用紙収納箱の長手方向両側縁間に、該帯部の側縁と相対して衛生用紙収納箱の長手方向両側縁方向に中央部が膨らむ弓形押罫部が形成されていることを特徴とする（１）項〜（５）項のいずれか１項に記載の衛生用紙収納箱。
【００１４】
（７）前記切取線切り離し用押し下げ部を形成している、衛生用紙収納箱の長手方向両端部側に湾曲する押罫部の端部と前記切取部の帯部と相対して形成されている弓形押罫部の端部との間の前記摘み部の各側縁近傍に、摘み部方向に開口部を向けるＶ字形の押罫部が形成されていることを特徴とする（６）項に記載の衛生用紙収納箱。
【００１５】
（８）前記帯部と相対して形成されている弓形押罫部の両端部はＴ型端部であることを特徴とする（６）項又は（７）項に記載の衛生用紙収納箱。
【００１６】
（９）前記衛生用紙収納箱は、該収納箱を形成している紙素材の抄紙方向に対してその長手方向が直交する方向となるように形成されていることを特徴とする（１）項〜（８）項のいずれか１項に記載の衛生用紙収納箱。
【発明の効果】
【００１７】
本発明の衛生用紙収納箱は、上面板の取出口形成用の切取部の長手方向両端部の摘み部と切取線切り離し用押し下げ部とを分けている切取線が短い接合線と長い切目線の組合せからなる切り離しが容易な一点鎖線状切取線であるために、切取線切り離し用押し下げ部を指で箱内に押し込むように押し下げるだけで切り離すことができる。そして、箱内に押し下げられる押し下げ部先端から指を相対する摘み部の下方に差し込んで摘み部を下方から押し上げると、摘み部は折目線を起点として上方に簡単に折り曲げられるので、片手操作で安全に摘み部を形成することができる。
【００１８】
また、前記摘み部と押し下げ部を分けている切取線と一対で押し下げ部を形成している押罫部は、摘み部を切り取ったあとの押し下げ部開口縁に上方に引き起こす強い力が加わることがあっても、取出口を形成している上面板部分が上方に折れ曲がることを抑制するし、切取部の帯部にさらに押罫部を設けると、上記押し下げ部の押罫部と共に切取部全体を囲む配置となり、衛生用紙収納箱の製造過程、製品の流通過程、販売店での取り扱い過程で収納箱の上面板にひずみが生じるような力が加わった場合にも上面板が変形することを抑制するので、該切取線が開封前に切離されることがなく、商品価値が損なわれることがない。
また、前記摘み部の４つの側縁近傍において摘み部方向に開口部を向けるＶ字形の押罫部を設けることによって、切取部の補強効果はさらに向上する。
【００１９】
また、切取部の前記帯部の形状を、中央部において括れており、長手方向中央部から両端部方向に向けて拡幅するように湾曲している形状とすると、中央部の括れた箇所のミシン目状の切込線を切離した後に開口端縁に残る凹凸によって、ポップアップされて取出口から上方に引き出された後、自重等によって収納箱内に落ち込もうとする衛生用紙部分を保持し、その接触抵抗によってポップアップ状態を維持することができるので、フィルムレスの衛生用紙収納紙箱とすることもできる。
【００２０】
なお、本発明の摘み部と切取線切り離し用押し下げ部を有する切取部が奏する前記切取線切り離し用押し下げ部を指で箱内に押し込むように押し下げるだけで切り離すことができ、箱内に押し下げられる押し下げ部先端から指を相対する摘み部の下方に差し込んで摘み部を下方から押し上げると、摘み部は折目線を起点として上方に簡単に折り曲げられるので、片手操作で安全に摘み部を形成することができるという作用効果は、フィルム付及びフィルム無しのいずれのタイプの衛生用紙収納箱においても奏される効果であるので、該切取部の構造はいずれのタイプの衛生用紙収納箱にも適用可能である。
【００２１】
また、摘み部を切り離した後の押し下げ部は、その取出口中央方向に突き出ている部分を中心にして、その両側縁に、交互に重ね折り収納されている衛生用紙束からポップアップされてくる衛生用紙の端部面が交互に接して保持されるので、取出口中央部の前記括れ部による衛生用紙中央面の保持作用と合わせて、ポップアップされた衛生用紙が収納箱内に落ち込むことがないように保持する補助的作用を果たすことができるし、該押し下げ部両側縁の空所をポップアップされてくる衛生用紙端部が交互に通過することとなるので、該空所に塵埃等が蓄積されることもない。
【発明を実施するための最良の形態】
【００２２】
本発明の衛生用紙入り収納箱は、切取線によって囲まれた衛生用紙取出口形成用の切取部の長手方向両端部に折目線を有する摘み部と、両摘み部と切取線を挟んで相対する切取線切り離し用押し下げ部とを有しており、該摘み部と押し下げ部を分ける切取線が短い接合線と長い切り目線からなる一点鎖線状切取線として設けられていることを特徴とする。
【００２３】
本発明の衛生用紙収納箱の箱体を形成する素材は、一般に紙製のボックス型の包装用容器に使用されるタイプの紙であり、古紙などを使用している紙器板紙、ダンボール原紙、建材原紙等の厚紙が使用されるが、特に限定されるものではない。白板乃至白板紙は印刷適性が優れていることから好ましい素材である。
【００２４】
本発明の衛生用紙収納箱の切取部周囲の切取線のうち、切取部の長手方向中央部の帯部の切取線は、製品製造過程、流通過程、店頭販売時の取り扱い過程で破損されることのない接合強度と、取出口形成時の切り離しやすさを満たす限りミシン目状切取線、鎖線状切取線のいずれでもよい。衛生用紙収納箱がフィルムレスの取出口を有するものである場合は、切取部を切取った後の端部がポップアップされた衛生用紙面と接触した状態での保持性が優れることからミシン目状切取線であることが好ましい。
【００２５】
また、摘み部周囲の切取線は、摘み部と相対する押し下げ部を指で軽く箱内に押し込むだけで切り離しできるものであることが求められるので、長い切込線と短い接続部の組合せからなる鎖線状切取線が好ましい。特に、該窪み部の底縁中央部と該底縁を挟む両側縁部の対称位置とに短線の接合部を有し、その他の線部分は接合部を有していない切目線として形成されていることが好ましい。
【００２６】
本発明の衛生用紙収納箱の切取部の周辺に押罫部を設ける場合は、切取部両側縁の切取線と対称形で略同一長さをもって切取線と相対して設けられる、中心部が収納箱の長手方向両側縁方向に膨らんだ弓形形状の押罫部とすることが好ましい。また、そのような押罫部は、断面形状が明確な凹状溝となる溝幅を有するように形成されることが好ましい。収納箱の製造工程や流通過程で上面板を変形させる力は、収納箱の長手方向に対する直角方向、すなわち、切取線に直行する方向に加わる場合が多いので、押罫部の溝幅を広くして補強効果を高めておくことが有効である。また、前記摘み部の４つの側縁近傍において摘み部方向に開口部を向けるＶ字形の押罫部を設ける場合も、該摘み部を囲む鎖線状切取線は接合強度が低いのでＶ字型の押罫部も溝幅の広いものとすることが好ましい。
【００２７】
本発明の衛生用紙収納箱における紙製収納箱の切取線切り離し用の押し下げ部に形成される押罫部は溝幅の狭い溝部となるように形成されることが好ましい。この押罫部は、収納箱の長手方向両端部方向に膨らんだ半円形に設けられることが好ましいが、その曲率半径が小さいので溝幅を広くすると押罫部周辺に亀裂が生じて補強効果が小さくなるし、外観も損なわれることとなる。
【００２８】
本発明の衛生用紙収納箱において、摘み部に設けられる折目線は、切取部の帯部両側縁の切取線と摘み部の鎖線状切取線とが接続する接続点において、切取部の幅方向に、上面板の表面側又は裏面側から上面板の厚さ方向中間層まで切り込んだ直線状切込線として形成されていることが好ましい。しかし、摘み部を上方に折り曲げ易くするものである限り、上記の切込線に限定されるものではなく、たとえば、直線状の押罫線とすることもできる。
【実施例】
【００２９】
以下、図面にしたがって本発明の衛生用紙入り収納箱の形状、構造について具体的に説明するが本発明はこれらの実施例に限定されるものではない。
図１は、本発明の衛生用紙収納箱の一例を示す展開図であり、図２は、平面図であり、図３は図１のＸ−Ｘ線に沿った断面図であり、図４は、本発明の衛生用紙入り収納箱の使用状態を示す図である。各図中、同一符号は同一部分を表わしている。
【００３０】
図１において、符号１は衛生用紙収納箱、２は収納箱の上面板、１２は帯部、１３は摘み部、１４は両側縁におけるミシン目状切取線、１５は摘み部の折目線、１６は摘み部の鎖線状切取線、１７は取出口側縁部、１８は押し下げ部、１９は曲線形の押罫部、２０はＶ字型の押罫部、２１は半円形の押罫部を示す。
図１に示すように、本発明の衛生用紙収納箱１は、たとえば、白板紙のような厚紙を打ち抜いて切取線、押罫部等を入れたブランクを形成し、折線に沿って直方体形状に組み立てて形成されている。
【００３１】
また、図１に示すように、底面３には、収納衛生用紙が少なくなった場合に箱内に押し込み収納衛生用紙を押上げることができるように、押罫部２２で囲まれた矩形部を挟んでその一辺を付け根に相当する部分とする半円形の押し込み片２４が切取線２３によって形成されている。
図１において、符号５と６は側面板で、７，８は端面板で、９，１０は内フラップ、１１は解体用切切取線を表わしている。
【００３２】
図４に示した衛生用紙取出口Ａは、開封前は、図１における上面板２の中央部の収納箱の長手方向に、摘み部１３−帯部１２−摘み部１３で構成されている切取部１２によって覆われている。
収納衛生用紙の取出口の形成は、上面板２に鎖線状切取線１６，１６で囲まれた摘み部１３，１３、ミシン目状切取線１４，１４で囲まれている帯部１２からなる切取部全体を切り離し、取り除くことによって形成される。
【００３３】
具体的手順は次のとおりである。まず、摘み部１３と相対する切取線切り離し用押し下げ部１８の先端部を指で箱内に押し込んで鎖線状切込線１６を切り離す。切取線１６は一点鎖線状で接合部が少ないので切り離し易い。また、押し下げ部１８を箱内に押し込んだ指先は摘み部１３の下方に差し込むことができるので、この状態で該摘み部１３を下方から上方に指先で押し上げる。摘み部１３は折目線１５を起点として簡単に上方に折れ曲がるので持ち上がった摘み部１３を把持して切取部全体を切り離す。
【００３４】
以上のように、切取線切り離し用押し下げ部１８を指先で押し下げるだけで鎖線状切取線を切り離し、その指先を摘み部１３の下方に差し込み、下方から摘み部１３を持ち上げる操作は片手のみで行なうことができるし、切り離された押し下げ部端縁と指先の接触状態は、摘み部１３を形成する操作を通して、押し下げ部の端縁に平行に指先が移動する接触状態とはならないので該切り取り端縁により怪我することもない。
【００３５】
上記のように取出口が形成されたのち、衛生用紙収納箱１は、図４に示すように、収納衛生用紙を上層から順に引出すと、引出された衛生用紙に続く衛生用紙は、通常、ポップアップされて取出された先行する衛生用紙部分と折り重ねられている部分が引出された衛生用紙と一緒に引出され、図４に示す状態に保持される。
【００３６】
衛生用紙収納箱の場合、一部が引出された状態の衛生用紙部分は、何らかの対策を講じないと自重や、その他の要因で箱内に落ち込んでしまうことがあり、再度落ち込んだ衛生用紙を引出すためには、箱内に指を差し入れ、手探りでその折り畳み端部を探し当てて引出さなければならない。
図示の衛生用紙収納箱の場合、図４のようにポップアップされた衛生用紙は、その面の幅方向中心部が取出口両側縁の上面板１７部分の取出口Ａ方向に最も突き出た端縁部分との接触抵抗によって収納箱内に落ち込むことが防止されることとなるので、取出口に切れ目を有するフィルムを設ける必要のない収納箱となっている。
【００３７】
また、取出口の両側縁及び両端縁全体を囲むように押罫１９、２０、２１を有しているので、取出口の全端縁が上方に持ち上がりにくくなっており、経時に取出口の形状が変化することがなく、取出口側縁部による衛生用紙面の保持作用も変化することなく一定に維持される。
このように、図示の本発明の衛生用紙収納箱の場合は、取出口の両側縁と両端縁でポップアップされる衛生用紙の面を保持するので、衛生用紙が箱内に逆戻りすることが効果的に防止される効果も有している。
【００３８】
以上のように、本発明は、上面板に形成されている取出口形成用の切取部が前記摘み部と切取線切り離し用押し下げ部とを有する構造に基づいて、取出口を形成する際の切取部の切り離し操作を容易、且つ安全に行なうことができる衛生用紙収納箱を提供し得るものである。
【図面の簡単な説明】
【００３９】
【図１】本発明の衛生用紙収納箱の一例を示す展開図である。
【図２】本発明の衛生用紙収納箱の平面図である。
【図３】図１の展開図におけるＸ−Ｘ線に沿った断面図である。
【図４】本発明の衛生用紙入り収納箱の使用状態を示す図である。
【符号の説明】
【００４０】
１：衛生用紙収納箱
２：上面板
３：底面版
４：糊代片
５，６：側面板
７，８：端面板
９，１０：内フラップ
１１：解体用切取線
１２：帯部
１３：摘み部
１４：ミシン目状切取線
１５：折目線
１６： 一点鎖線状切取線
１７：取出口側縁の上面板部分
１８：押し下げ部
１９：曲線形の押罫部、
２０：Ｖ字形の押罫部、
２１：半円形の押罫部
２２：矩形押罫部
２３：切取線
２４：押し込み片
【図１】
2007269372.tif 000003
【図２】
2007269372.tif 000004
【図３】
2007269372.tif 000005
【図４】
2007269372.tif 000006